(57)【要約】【課題】原稿の読み取りを行う場合の利便性を向上させる画像読取装置及び画像読取方法を提供する。【解決手段】読取ジョブに基づいて原稿を読み取った後（Ｓ２３０）、Ｓ２５５において当該読取ジョブを意図的に削除しなければ、Ｓ２２５において再度同じ読取ジョブを選択することができる。すなわち、読取手段は入力手段により入力された読取ジョブに基づいて原稿を読み取った後も記憶手段に記憶されている当該読取ジョブに基づいて原稿を読取可能であるので、ユーザは同一の読取ジョブで原稿を読み取らせる場合は読取ジョブを再入力する必要がない。よってこの発明によると、同一の読取ジョブで原稿の読み取りを行う場合の利便性が向上する。【選択図】図７
2009246790.tif 000002
【特許請求の範囲】
【請求項１】
読取ジョブを入力する入力手段と、
前記読取ジョブに基づいて原稿を読み取って画像データを生成する読取手段と、
前記読取ジョブを記憶する記憶手段と、
を備え、
前記読取手段は、前記入力手段により入力された前記読取ジョブに基づいて原稿を読み取った後、前記記憶手段に記憶されている前記読取ジョブに基づいて原稿を読み取り可能である画像読取装置。
【請求項２】
前記入力手段は情報端末装置から前記読取ジョブを受信し、
前記記憶手段に記憶されている前記読取ジョブに基づいて生成された画像データを前記情報端末装置に送信する送信手段を更に備える請求項１に記載の画像読取装置。
【請求項３】
前記記憶手段は互いに読取条件の異なる複数の前記読取ジョブを記憶する請求項１又は請求項２に記載の画像読取装置。
【請求項４】
前記記憶手段に記憶されている前記読取ジョブを選択する読取ジョブ選択手段を更に備え、
前記読取手段は、前記読取ジョブ選択手段で選択された前記読取ジョブに基づいて原稿を読み取る請求項３に記載の画像読取装置。
【請求項５】
前記読取ジョブに付与されている読取ジョブ名を表示する表示手段を有する請求項３又は請求項４に記載の画像読取装置。
【請求項６】
前記入力手段は前記読取ジョブ名を入力可能である請求項５に記載の画像読取装置。
【請求項７】
前記記憶手段に記憶されている前記読取ジョブを削除する削除手段を更に備える請求項１乃至請求項６のいずれか一項に記載の画像読取装置。
【請求項８】
認証情報を入力するための認証情報入力手段を更に備え、
前記読取手段は、前記認証情報入力手段により入力された認証情報と一致する認証情報が付与されている前記読取ジョブに基づいて原稿を読み取る請求項１乃至請求項７のいずれか一項に記載の画像読取装置。
【請求項９】
前記記憶手段に記憶されている前記読取ジョブに基づいて原稿を読み取る読取モードを含む複数の動作モードのうちいずれかの動作モードを選択するための動作モード選択手段と、
前記認証情報入力手段により認証情報が入力されると、入力された認証情報と一致する認証情報が付与されている前記読取ジョブが前記記憶手段に記憶されている場合は自動で前記読取モードに切り換える切替手段とを更に備える請求項８に記載の画像読取装置。
【請求項１０】
前記記憶手段は認証情報を記憶し、
前記認証情報入力手段で入力された認証情報と前記記憶手段に記憶されている認証情報とが一致した場合のみ前記読取手段による読取処理を許可する認証手段を更に備える請求項８又は請求項９に記載の画像読取装置。
【請求項１１】
通信可能に接続されている情報端末装置と画像読取装置とを用いた画像読取方法であって、
前記情報端末装置において前記画像読取装置に読取ジョブを送信する送信段階と、
前記画像読取装置において前記情報端末装置から受信した前記読取ジョブを記憶手段に記憶させる記憶段階と、
前記画像読取装置において読取処理の開始の指示を受け付ける指示受付段階と、
前記画像読取装置において前記指示受付段階で前記指示を受け付けると前記記憶手段に記憶されている前記読取ジョブに基づいて原稿を読み取って画像データを生成する読取段階と、
前記画像読取装置において前記読取段階で生成した画像データを前記情報端末装置に送信する送信段階と、
を含み、
前記記憶手段は前記読取段階において前記読取ジョブに基づいて原稿を読み取った後も前記読取ジョブを記憶する画像読取方法。
【発明の詳細な説明】
【技術分野】
【０００１】
本発明は、画像読取装置及び画像読取方法に関する。
【背景技術】
【０００２】
従来、外部の情報処理装置から原稿読取の要求を受信し、受信した要求に基づいて原稿を読み取る画像読取装置が知られている（例えば特許文献１参照）。
【０００３】
【特許文献１】特開２００１−３３９５４７公報
【発明の開示】
【発明が解決しようとする課題】
【０００４】
しかしながら、従来の画像読取装置によると、受信した要求に基づいて原稿を読み取った後、別の原稿を同一の読取条件で読み取る場合であっても、ユーザは情報処理装置から原稿読取の要求を再度送信しなければならず、使い勝手が悪いという問題がある。
本発明は上記のような事情に基づいて完成されたものであって、原稿の読み取りを行う場合の利便性を向上させる画像読取装置及び画像読取方法を提供することを目的とする。
【課題を解決するための手段】
【０００５】
第１の発明は、読取ジョブを入力する入力手段と、前記読取ジョブに基づいて原稿を読み取って画像データを生成する読取手段と、前記読取ジョブを記憶する記憶手段と、を備え、前記読取手段は、前記入力手段により入力された前記読取ジョブに基づいて原稿を読み取った後も、前記記憶手段に記憶されている前記読取ジョブに基づいて原稿を読み取り可能である。
この発明によると、記憶手段は入力手段により入力された読取ジョブを記憶し、読取手段は入力手段により入力された読取ジョブに基づいて原稿を読み取った後も記憶手段に記憶されている当該読取ジョブに基づいて原稿を読取可能であるので、ユーザは記憶手段に記憶されている読取ジョブで原稿を読み取らせる場合は読取ジョブを再入力する必要がない。よってこの発明によると、原稿の読み取りを行う場合の利便性が向上する。
【０００６】
第２の発明は、第１の発明の画像読取装置であって、前記入力手段は情報端末装置から前記読取ジョブを受信し、前記記憶手段に記憶されていいる前記読取ジョブに基づいて生成された画像データを前記情報端末装置に送信する送信手段を更に備える。
この発明によると、情報端末装置から読取ジョブを入力できるとともに、読取ジョブに基づいて生成された画像データが当該情報端末装置に送信されるので、情報端末装置で画像データを利用したいユーザの利便性が向上する。
【０００７】
第３の発明は、第１又は第２の発明の画像読取装置であって、前記記憶手段は互いに読取条件の異なる複数の前記読取ジョブを記憶する。
この発明によると、互いに読取条件の異なる複数の読取ジョブを記憶するので、互いに異なる複数の読取条件で原稿を読み取らせる場合の利便性が向上する。
【０００８】
第４の発明は、第３の発明の画像読取装置であって、前記記憶手段に記憶されている前記読取ジョブを選択する読取ジョブ選択手段を更に備え、前記読取手段は、前記読取ジョブ選択手段で選択された前記読取ジョブに基づいて原稿を読み取る。
この発明によると、ユーザは記憶手段に記憶されている複数の読取ジョブのうち目的に応じた読取ジョブで原稿を読み取らせることができる。
【０００９】
第５の発明は、第３又は第４の発明の画像読取装置であって、前記読取ジョブに付与されている読取ジョブ名を表示する表示手段を有する。
この発明によると、複数の読取ジョブが記憶されている場合に複数の読取ジョブを互いに区別し易くなる。
【００１０】
第６の発明は、第５の発明の画像読取装置であって、前記入力手段は前記読取ジョブ名を入力可能である。
この発明によると、読取ジョブ名を入力できるので、ユーザは自身にとって判り易い読取ジョブ名を入力することにより、目的の読取ジョブを見つけ易くなる。また、ユーザは自身にとって読み取らせるべき原稿が判り易い読取ジョブ名を入力することにより、異なる読取ジョブで読み取らせたい原稿が複数手元に有る場合であっても、読取ジョブと原稿との対応関係を把握し易くなる。
【００１１】
第７の発明は、第１〜第６のいずれか一つの発明の画像読取装置であって、前記記憶手段に記憶されている前記読取ジョブを削除する削除手段を更に備える。
この発明によると、例えば不要になった読取ジョブを削除することにより、記憶手段を効率よく利用できる。
【００１２】
第８の発明は、第１〜第７のいずれか一つの発明の画像読取装置であって、認証情報を入力するための認証情報入力手段を更に備え、前記読取手段は、前記認証情報入力手段により入力された認証情報と一致する認証情報が付与されている前記読取ジョブに基づいて原稿を読み取る。
この発明によると、読取ジョブを他のユーザに使用されないようにすることができる。
【００１３】
第９の発明は、第８の発明の画像読取装置であって、前記記憶手段に記憶されている前記読取ジョブに基づいて原稿を読み取る読取モードを含む複数の動作モードのうちいずれかの動作モードを選択するための動作モード選択手段と、前記認証情報入力手段により認証情報が入力されると、入力された認証情報と一致する認証情報が付与されている前記読取ジョブが前記記憶手段に記憶されている場合は自動で前記読取モードに切り換える切替手段とを更に備える。
この発明によると、記憶手段に記憶されている読取ジョブに基づいて原稿を読み取るとき、ユーザは選択手段で動作モードを選択する操作を行う必要がないので、ユーザの利便性が向上する。
【００１４】
第１０の発明は、第８又は第９の発明の画像読取装置であって、前記記憶手段は認証情報を記憶し、前記認証情報入力手段で入力された認証情報と前記記憶手段に記憶されている認証情報とが一致した場合のみ前記読取手段による読取処理を許可する認証手段を更に備える。
この発明によると、読取手段による読取処理が許可されているユーザが制限されている場合に、読取処理が許可されているか否かを認証情報入力手段により入力された認証情報を用いて判断する。すなわちこの発明によると、認証情報の入力が一度で済むので使い勝手がよい。
【００１５】
第１１の発明は、通信可能に接続されている情報端末装置と画像読取装置とを用いた画像読取方法であって、前記情報端末装置において前記画像読取装置に読取ジョブを送信する送信段階と、前記画像読取装置において前記情報端末装置から受信した前記読取ジョブを記憶手段に記憶させる記憶段階と、前記画像読取装置において読取処理の開始の指示を受け付ける指示受付段階と、前記画像読取装置において前記指示受付段階で前記指示を受け付けると前記記憶手段に記憶されている前記読取ジョブに基づいて原稿を読み取って画像データを生成する読取段階と、前記画像読取装置において前記読取段階で生成した画像データを前記情報端末装置に送信する送信段階と、を含み、前記記憶手段は前記読取段階において前記読取ジョブに基づいて原稿を読み取った後も前記読取ジョブを記憶する。
この発明によると、原稿の読み取りを行う場合の利便性が向上する。
【発明の効果】
【００１６】
本発明によれば、原稿の読み取りを行う場合の利便性が向上する。
【発明を実施するための最良の形態】
【００１７】
＜実施形態１＞
本発明の実施形態１を図１乃至図８によって説明する。
（画像読取装置の電気的構成）
図１は、スキャナ機能、コピー機能、ファクシミリ送信機能などを有する複合機１（画像読取装置の一例）の電気的構成を示すブロック図である。
【００１８】
複合機１は、ＣＰＵ１１、ＲＯＭ１２、ＲＡＭ１３、記憶部１４、表示部１５、操作部１６、読取部１７、画像形成部１８、ネットワークインタフェース（Ｉ／Ｆ）１９、ファクシミリインタフェース（Ｉ／Ｆ）２０などを備えている。
【００１９】
ＣＰＵ１１（入力手段、読取手段、記憶手段、送信手段、読取ジョブ選択手段、表示手段、削除手段、認証情報入力手段、動作モード選択手段、切替手段、及び認証手段の一例）は、ＲＯＭ１２に記憶されている各種のプログラムを実行することにより複合機１の各部を制御する。
【００２０】
記憶部１４（記憶手段、及び削除手段の一例）は、ハードディスクやフラッシュメモリなどを記憶媒体として用いる外部記憶装置である。記憶部１４には、パーソナルコンピュータ（以下「ＰＣ」という）２１から受信した読取ジョブ（後述する）、使用できる機能をユーザ毎に制限するための機能制限情報、その他各種の情報が記憶される。なお、記憶部１４は、複合機１に対して着脱可能に接続されるＵＳＢメモリやＵＳＢハードディスクなどのＵＳＢマスストレージデバイスであってもよい。
なお、本実施形態では読取ジョブをハードディスクやフラッシュメモリなどの不揮発性の記憶媒体に記憶する場合を例に説明するが、ＲＡＭ１３などの揮発性の記憶媒体に記憶してもよい。
【００２１】
表示部１５（読取ジョブ選択手段、表示手段、及び認証情報入力手段、及び動作モード選択手段の一例）は、液晶ディスプレイなどの表示装置で構成されており、ＣＰＵ１１に制御されて各種の情報を表示する。
操作部１６（読取ジョブ選択手段、認証情報入力手段、及び動作モード選択手段の一例）は、読取処理の開始を指示するためのスタートボタンなどの複数の操作スイッチで構成されている。ユーザは例えば表示部１５に表示される画面を参照しつつ操作部１６を操作することにより各種の設定や読取ジョブの選択、パスワード（認証情報の一例）の入力などを行う。
【００２２】
読取部１７（読取手段の一例）は、所謂フラットベッド方式のものであり、ＣＩＳ（密着型イメージセンサ）などのラインセンサを備えている。読取部１７は図示しない載置台や自動給紙装置などを備え、載置台に載置されている原稿及び自動給紙装置によって読取位置まで搬送されてきた原稿をラインセンサで読み取って画像データを生成する。
【００２３】
画像形成部１８は、画像データが表す画像を用紙などの被記録媒体上にレーザー方式やインクジェット方式などで印刷する。
ネットワークインタフェース１９（入力手段、及び送信手段の一例）は、ＬＡＮやインターネットなどの電気通信回線を介してＰＣ２１と接続される。
ファクシミリインタフェース２０は、電話回線を通じて他のファクシミリ装置との間で画像データのファクシミリ送受信を行う。
【００２４】
（ＰＣの電気的構成）
図２は、ＰＣ２１（情報端末装置の一例）の電気的構成を示すブロック図である。ＰＣ２１は、ＣＰＵ３１、ＲＯＭ３２及びＲＡＭ３３、並びにハードディスクや光ディスクなどを記憶媒体として用いる外部記憶装置３４、キーボードやマウスなどの入力装置３５、液晶ディスプレイやＣＲＴ（Cathode Ray Tube）などの表示装置３６、ネットワークインタフェース３７、これらを接続するバスなどで構成されている。
【００２５】
（複合機及び情報端末装置の処理概要）
ＰＣ２１は外部記憶装置３４に記憶されているスキャナドライバを実行することにより、ユーザが読取ジョブを設定するためのジョブ設定画面を表示装置３６に表示する。ユーザにより読取ジョブが設定されると、ＰＣ２１は設定された読取ジョブを複合機１に送信する。
【００２６】
複合機１はＰＣ２１から読取ジョブを受信すると、受信した読取ジョブを記憶部１４に記憶する。そして、複合機１は記憶部１４に記憶している読取ジョブのうち操作部１６などを介してユーザに選択された読取ジョブに基づいて原稿を読み取って画像データを生成し、生成した画像データをＰＣ２１に送信する。
【００２７】
（読取ジョブ）
図３は、読取ジョブの一例を示す模式図である。本実施形態において読取ジョブとは、原稿を読み取る一連の動作を定義した情報をいい、読取ジョブ名、読取ジョブを設定したユーザのユーザＩＤやパスワード、原稿を読み取る読取条件（データ形式、解像度、色設定、原稿サイズ、給紙方法、明るさ、コントラスト）、生成された画像データの送信処理に関する処理条件（保存先端末、データ保存フォルダ）などを含む。
【００２８】
読取ジョブ名には、読取ジョブを一意に識別するためにユーザが入力した任意の文字列が設定される。例えばユーザは議事録が印刷されている原稿を読み取るための読取ジョブを設定する場合は「議事録」、写真を読み取るための読取ジョブを設定する場合は「写真」などのように、ユーザ自身にとって判り易い読取ジョブ名を入力することができる。これにより、ユーザは複合機１で読取ジョブを選択する際に目的の読取ジョブを見つけ易くなる。
【００２９】
ユーザＩＤには、当該読取ジョブを入力したユーザに予め付与されている固有の識別情報が設定される。
パスワードには、当該読取ジョブを入力したユーザを認証するための認証情報が設定される。パスワードは当該読取ジョブを入力したユーザ以外のユーザに当該読取ジョブが使用されることを防止するためのものである。
【００３０】
保存先端末には、読取ジョブに基づいて原稿を読み取って生成した画像データの送信先となるＰＣ２１のアドレス（ＩＰアドレス、ドメイン名など）が設定される。
データ保存フォルダには、保存先端末として指定されたＰＣ２１のフォルダであって画像データを保存するフォルダのフォルダ名が設定される。複合機１から送信された画像データはデータ保存フォルダに指定したフォルダに保存される。
【００３１】
データ形式には、ＰＤＦ形式、ＪＰＥＧ形式、ＴＩＦＦ形式、ビットマップ形式などの複数のデータ形式の中から１つのデータ形式が設定される。複合機１にて、この読取ジョブに基づいて原稿を読み取った場合、設定されたデータ形式にて画像データが生成される。
【００３２】
解像度には、３００ｄｐｉ（dot per inch）、１２００ｄｐｉなどの予め設定されている複数の解像度の中からいずれか一つが設定される。複合機１にて、この読取ジョブに基づいて原稿を読み取った場合、設定された解像度にて画像データが生成される。
【００３３】
色設定には、カラー画像、グレースケール画像、白黒画像またはテキスト、カスタムなどの予め設定されている種類の中からいずれか一つが設定される。複合機１にて、この読取ジョブに基づいて原稿を読み取った場合、設定された色設定にて画像データが生成される。
【００３４】
原稿サイズには、予め設定されているＡ４、Ａ３、Ｂ５などの複数のサイズの中からいずれか一つが設定される。複合機１にて、この読取ジョブに基づいて原稿を読み取った場合、設定されたサイズに応じて画像データが生成される。
給紙方法には、原稿の給紙方法が設定される。本実施形態では、載置台に載置された原稿を読み取る場合はフラットベット（ＦＢ）、自動給紙装置によって搬送されてきた原稿を読み取る場合は自動給紙装置（ＡＤＦ）が設定される。
【００３５】
明るさには、画像の明るさの程度を示す値が指定される。複合機１にて、この読取ジョブに基づいて原稿を読み取った場合、設定された明るさにて画像データが生成される。
コントラストには、画像の明暗差、所謂コントラストの程度を示す値が設定される。複合機１にて、この読取ジョブに基づいて原稿を読み取った場合、設定されたコントラストにて画像データが生成される。
【００３６】
なお、読取ジョブに含める読取条件は上述したものに限定されず、適宜変更可能である。また、画像データの処理条件は送信処理に関する処理条件に限定されず、例えば印刷に関する処理条件（印刷部数、カラー／モノクロ、片面印刷／両面印刷など）やファクシミリ送信に関する処理条件（ファクシミリ番号など）などであってもよい。
【００３７】
（読取ジョブの設定）
次に、ＰＣ２１によって表示されるジョブ設定画面の一例について説明する。
図４Ａ及び図４Ｂは、ジョブ設定画面の一例を示す模式図である。ジョブ設定画面４１は図４Ａに示す基本タブ４２と図４Ｂに示す詳細タブ４３とで構成されている。図４Ａに示すように基本タブ４２では読取ジョブ名、ユーザＩＤ、パスワード、保存先端末、データ保存フォルダ、データ形式、原稿サイズ、及び給紙方法が設定される。図４Ｂに示すように詳細タブ４３では明るさ、コントラスト、解像度、及び色設定が設定される。明るさ及びコントラストの値を変更するとサンプル画像４５にその値が反映され、ユーザはサンプル画像４５で効果を確認しながら値を設定することができる。
【００３８】
ユーザは入力装置３５を操作してジョブ設定画面４１上で読取ジョブを設定し、ＯＫボタン４４を押下する。ＯＫボタン４４が押下されると、ＰＣ２１は設定された読取ジョブを複合機１に送信する。
複合機１に送信できる読取ジョブは一つに限定されず、ユーザはジョブ設定画面４１で操作を繰り返すことにより、互いに読取条件の異なる複数の読取ジョブを複合機１に送信することができる。
【００３９】
（ユーザ毎の機能制限）
次に、ユーザ毎の機能制限について説明する。
複合機１はスキャナ機能、コピー機能、及びファクシミリ送信機能などを有しており、ネットワークインタフェース１９を介して複数のＰＣ２１と接続されているので重要な情報が集中し易く、誰もが自由に複合機１を使用できる状況は好ましくない。このため、複合機１では機能制限中はこれらの機能を自由に使用できず、ユーザ毎に使用できる機能が制限される。複合機１はユーザＩＤを各機能の許可／不許可およびパスワードと対応付けた機能制限情報を記憶部１４に記憶しており、機能制限情報に基づいてユーザ毎に機能制限する。以下、機能制限情報の一例について説明する。
【００４０】
図５は、機能制限情報の一例を示す模式図である。例えばユーザ１はスキャン機能及びファクシミリ送信機能については使用を許可されているが、コピー機能の使用は不許可である。また、例えばユーザ２はスキャン機能及びファクシミリ送信機能の使用は不許可であるが、コピー機能の使用は許可されている。ユーザ３やユーザ４についても同様である。
【００４１】
（複合機の処理）
次に、複合機１の処理について説明する。ここでは機能制限中である場合においてＰＣ２１から読取ジョブを受信し、受信した読取ジョブに基づいて原稿を読み取る処理について説明する。
【００４２】
（ＰＣから読取ジョブを受信する処理）
図６は、機能制限中である場合においてＰＣ２１から読取ジョブを受信する処理のフローチャートである。本処理は複合機１の電源投入後、所定の時間間隔で繰り返し実行される。
Ｓ１０５では、ＣＰＵ１１はネットワークインタフェース１９を介して読取ジョブを受信したか否かを判定する。ＣＰＵ１１は、読取ジョブを受信した場合はＳ１１０に進み、読取ジョブを受信していない場合は処理を終了する。
【００４３】
Ｓ１１０では、ＣＰＵ１１は受信した読取ジョブに付与されているユーザＩＤおよびパスワードが機能制限情報に対応付けられて登録されているか否かを判定する。ＣＰＵ１１は、登録されている場合はＳ１１５に進み、登録されていない場合は認証に失敗したとして処理を終了する。
【００４４】
Ｓ１１５では、ＣＰＵ１１は読取ジョブに付与されているユーザＩＤに対してスキャン機能が許可されているか否かを機能制限情報を参照して判定する。ＣＰＵ１１は、許可されている場合はＳ１２０に進み、許可されていない場合は処理を終了する。
Ｓ１２０では、ＣＰＵ１１は受信した読取ジョブを記憶部１４に記憶する。
【００４５】
（読取ジョブに基づいて原稿を読み取る処理）
図７は、機能制限中である場合において読取ジョブに基づいて原稿を読み取る処理のフローチャートである。本処理は複合機１の電源投入後、所定の時間間隔で繰り返し実行される。
Ｓ２０５では、ＣＰＵ１１は例えば図８Ａに示すようなパスワードを入力するための画面を表示部１５に表示する。ＣＰＵ１１はパスワードが入力されたか否かを一定時間間隔で判定し、パスワードが入力された場合はＳ２１０に進み、入力されていない場合は一定時間が経過した後に再度判定する。
【００４６】
Ｓ２１０では、ＣＰＵ１１はＳ２０５で入力されたパスワードが機能制限情報に登録されているか、及び機能制限情報に登録されている場合はスキャンモード、ファクシミリ送信モード及びコピーモードのうち少なくとも一つの動作モードの使用が許可されているかを判定する。
本実施形態では、Ｓ２０５で入力されたパスワードを、許可されている動作モードを認証するためのパスワードとして用いるだけでなく、使用できる読取ジョブを認証するためのパスワードとしても用いる。つまり、ユーザは使用できる読取ジョブを認証するためのパスワードの入力と、許可されている動作モードを認証するためのパスワードの入力とをそれぞれ別々に行う必要がなく、パスワードの入力が一度で済むので使い勝手がよい。
【００４７】
ＣＰＵ１１は、Ｓ２１０において、入力されたパスワードが登録されており且つ少なくとも一つの動作モードの使用が許可されている場合はＳ２１５に進み、一方、パスワードが登録されていない、あるいはいずれの動作モードの使用も許可されていない場合は処理を終了する。
【００４８】
Ｓ２１５では、ＣＰＵ１１はスキャンモード、ファクシミリ送信モード及びコピーモードのうちいずれか一つの動作モードをユーザが選択するためのメニューを表示部１５に表示する。
このメニュー表示において、ＣＰＵ１１は当該ユーザが使用を許可されていない機能に対応する動作モードはメニュー表示から除外する。したがって、ユーザは許可されていない機能に対応する動作モードは選択できないことになる。
Ｓ２１５において、ＣＰＵ１１はスキャンモードが選択された場合はＳ２２０に進み、一方、ファクシミリ送信モード又はコピーモードが選択された場合はＳ２５０に進む。
【００４９】
Ｓ２２０では、ＣＰＵ１１は記憶部１４を検索し、入力されたパスワードと一致するパスワードが付与されている読取ジョブが記憶されているか否かを判定する。ＣＰＵ１１は入力されたパスワードと一致するパスワードが付与されている読取ジョブが記憶されている場合はＳ２２５に進み、一方、記憶されていない場合はＳ２４５に進む。
Ｓ２２５では、ＣＰＵ１１は例えば図８Ｂに示すような画面を表示部１５に表示してユーザに読取ジョブを選択させる。図８Ｂに示す画面においてユーザが操作部１６を操作すると、入力されたパスワードと一致するパスワードが付与されている読取ジョブが表示部１５にスクロール表示され、ユーザは目的の読取ジョブを表示させることにより選択する。
【００５０】
図８Ｂに示す画面では、入力されたパスワードと一致するパスワードが付与されている読取ジョブ以外の読取ジョブはスクロール表示に含まれない。したがって他のユーザによって入力された読取ジョブは使用できないが、自身が入力した読取ジョブを他のユーザに使用されることもない。
【００５１】
Ｓ２３０では、ＣＰＵ１１は例えば図８Ｃに示すような画面を表示部１５に表示してユーザにスタートボタンの押下を指示する。ユーザがスタートボタンを押下して読取処理の開始を指示すると、ＣＰＵ１１はユーザに選択された読取ジョブに基づいて原稿を読み取り、画像データを生成する。次に、ＣＰＵ１１は生成した画像データを、当該読取ジョブにおいて保存先端末として指定されているＰＣ２１に送信する。
【００５２】
なお、Ｓ２３０において、例えば読取処理を開始しようとしているユーザの選択できる読取ジョブが複数存在し、ユーザが各読取ジョブで読み取るべき原稿（１枚のみとは限らない）を複数手元に持っていた場合であっても、表示部１５に表示される読取ジョブ名が「議事録」のように原稿の特徴を示すような名前となっていれば、ユーザは、選択した読取ジョブに対応する原稿を容易に手元から選び出し、読取部１７にセットすることができる。
【００５３】
Ｓ２３５では、ＣＰＵ１１はＳ２３０で原稿の読み取りに用いた読取ジョブを削除するか否かをユーザに問い合わせる。ＣＰＵ１１は、「削除する」が選択された場合はＳ２４０に進み、「削除しない」が選択された場合はＳ２５５に進む。
Ｓ２４０では、ＣＰＵ１１はＳ２３０で原稿の読み取りに用いた読取ジョブを記憶部１４から削除する。当該読取ジョブを用いて原稿を読み取る予定が近い将来においてない場合は、当該読取ジョブを削除するようにすることにより、記憶部１４を効率よく利用できる。
【００５４】
Ｓ２４５では、ＣＰＵ１１は通常の読取処理を実行する。ここで通常の読取処理とは、記憶部１４に記憶されている読取ジョブに基づいて原稿を読み取る処理ではなく、複合機１上で操作部１６を操作して設定された設定値に基づいて原稿を読み取る処理をいう。
【００５５】
Ｓ２５０では、ＣＰＵ１１はファクシミリ送信機能及びコピー機能のうちいずれかユーザが選択した動作モードに対応する機能を実行する。
Ｓ２５５では、ＣＰＵ１１は複合機１を続けて使用するか否かをユーザに問い合わせる。ＣＰＵ１１は「続けて使用する」が選択された場合はＳ２１５に戻って処理を繰り返し、「続けて使用しない」が選択された場合は処理を終了する。
【００５６】
以上説明した本発明の一実施形態に係る複合機１によると、ＣＰＵ１１はＳ１２０において読取ジョブを記憶部１４に記憶し、Ｓ２３０で当該読取ジョブに基づいて原稿を読み取った後、Ｓ２３５で「削除しない」が選択された場合は当該読取ジョブを記憶部１４から削除しない。記憶部１４から削除されないと次回スキャンモードが選択されたときに当該読取ジョブは選択可能に表示され、ユーザが当該読取ジョブを再度選択した場合は当該読取ジョブに基づいて読取処理が再度実行されることになる。
【００５７】
このように複合機１によると、記憶部１４はネットワークインタフェース１９により入力された読取ジョブに基づいて読取部１７で原稿を読み取った後も当該読取ジョブを記憶する。そして、読取部１７は記憶部１４に記憶されている当該読取ジョブに基づいて原稿を読み取ることができる。
つまり、複合機１によると、記憶部１４に記憶されている読取ジョブに基づいて読取処理を再実行することができ、ユーザは例えば記憶部１４に記憶されている読取ジョブで別の原稿を読み取らせる場合、読取ジョブを再入力する必要がない。よって複合機１によると、原稿の読み取りを行う場合の利便性が向上する。
【００５８】
更に、複合機１によると、ＰＣ２１から読取ジョブを入力できるとともに、当該読取ジョブに基づいて生成された画像データがＰＣ２１に送信されるので、原稿を読み取って生成された画像データをＰＣ２１で利用したいユーザの利便性が向上する。
【００５９】
更に、複合機１によると、互いに読取条件の異なる複数の読取ジョブを記憶し、ユーザはそれら複数の読取ジョブの中から目的に応じた読取ジョブを選択して原稿を読み取らせることができるので、複数の異なる読取条件で原稿を読み取らせる場合の利便性が向上する。
例えば、ユーザは原稿を複数の異なる読取条件で読み取りたい場合、読取条件の異なる複数の読取ジョブを記憶させておけば、複数の読取条件のうちの１つを設定した読取ジョブをＰＣ２１から送信し、その後、複合機１に原稿をセットする、という行為を読み取りたい読取条件数だけ繰り返す必要がないので、使い勝手がより向上する。特に、ＰＣ２１と複合機１との設置距離が大きい場合、ユーザが２つの装置の間を何度も行き来する煩わしさがなくなり、使い勝手のよさが顕著になる。
【００６０】
＜他の実施形態＞
本発明は上記記述及び図面によって説明した実施形態に限定されるものではなく、例えば次のような実施形態も本発明の技術的範囲に含まれる。
（１）上記実施形態１ではネットワーク経由で読取ジョブを入力する場合を例に説明したが、ユーザは複合機１の操作部１６を操作することによって複合機１上で直接読取ジョブを入力してもよい。
【００６１】
（２）上記実施形態１ではＳ２１５においてスキャンモード、ファクシミリ送信モード及びコピーモードのうちいずれか一つのモードを選択するためのメニューを表示しているが、入力されたパスワードと一致するパスワードが付与されている読取ジョブが記憶部１４に記憶されている場合は自動でスキャンモードに切り換えるようにしてもよい。
自動でスキャンモードに切り換えるようにすると、ユーザは少なくとも記憶部１４に記憶されている読取ジョブに基づいて原稿を読み取るときは操作部１６で動作モードを選択する操作を行う必要がないので、ユーザの利便性が向上する。
【００６２】
（３）上記実施形態１では、複合機１はユーザにより選択された読取ジョブを実行しているが、ユーザに読取ジョブを選択させるのではなく、受信した読み取りジョブを受信順に実行する構成であってもよい。
この場合においても、読取ジョブ名を表示部１５に表示してもよい。読取ジョブ名を表示部１５に表示すると、ユーザは読取ジョブが実行される順序を確認することができる。
【００６３】
（４）上記実施形態１では複合機１が機能制限中である場合を例に説明したが、機能制限をしない場合にも本発明を適用することができる。機能制限をしない場合は上記実施形態１で説明した処理から動作モードの使用の許可／不許可に関する処理を省略すればよい。
【００６４】
（５）上記実施形態１ではＳ２３０で原稿の読み取りに用いた読取ジョブを記憶部１４から削除しているが、削除する読取ジョブをユーザに選択させ、ユーザが選択した読取ジョブを削除するようにしてもよい。
【００６５】
（６）上記実施形態１では複合機１はスキャナ機能、コピー機能、ファクシミリ送信機能などを有する場合を例に説明したが、ＰＣから受信した画像データを印刷するプリント機能等の他の機能を備えてもよく、それら他の機能に対しても許可／不許可の機能制限を行ってもよい。
【００６６】
（７）上記実施形態１ではＳ２２０において読取ジョブが記憶されていると判定した場合は常にＳ２２５に進んでユーザに読取ジョブの選択を行わせているが、記憶されている読取ジョブを使用するか否かを表示部１５に表示し、「読取ジョブを使用する」が選択された場合はＳ２２５に進み、一方、「読取ジョブを使用しない」が選択された場合はＳ２３５に進んで通常のスキャンを実行するようにしてもよい。これにより、ユーザは読取ジョブが記憶されている場合でも通常のスキャンを実行した場合は「読取ジョブを使用しない」を選択することにより通常のスキャンを実行することができる。
【図面の簡単な説明】
【００６７】
【図１】本発明の一実施形態に係る画像読取装置のブロック図。
【図２】本発明の一実施形態に係る情報端末装置のブロック図。
【図３】本発明の一実施形態に係る読取ジョブの模式図。
【図４Ａ】本発明の一実施形態に係るジョブ設定画面の模式図。
【図４Ｂ】本発明の一実施形態に係るジョブ設定画面の模式図。
【図５】本発明の一実施形態に係る機能制限情報の模式図。
【図６】本発明の一実施形態に係るフローチャート。
【図７】本発明の一実施形態に係るフローチャート。
【図８Ａ】本発明の一実施形態に係る画面の模式図。
【図８Ｂ】本発明の一実施形態に係る画面の模式図。
【図８Ｃ】本発明の一実施形態に係る画面の模式図。
【符号の説明】
【００６８】
１…複合機（画像読取装置）
１１…ＣＰＵ（入力手段、読取手段、記憶手段、送信手段、読取ジョブ選択手段、表示手段、削除手段、認証情報入力手段、動作モード選択手段、切替手段、認証手段）
１４…記憶部（記憶手段、削除手段）
１５…表示部（読取ジョブ選択手段、表示手段、認証情報入力手段、動作モード選択手段）
１６…操作部（読取ジョブ選択手段、認証情報入力手段、動作モード選択手段）
１７…読取部（読取手段）
１９…ネットワークインタフェース（入力手段、送信手段）
２１…ＰＣ（情報端末装置）
【図１】
2009246790.tif 000003
【図２】
2009246790.tif 000004
【図３】
2009246790.tif 000005
【図４Ａ】
2009246790.tif 000006
【図４Ｂ】
2009246790.tif 000007
【図５】
2009246790.tif 000008
【図６】
2009246790.tif 000009
【図７】
2009246790.tif 000010
【図８Ａ】
2009246790.tif 000011
【図８Ｂ】
2009246790.tif 000012
【図８Ｃ】
2009246790.tif 000013